(57)【要約】      （修正有）【課題】作業性がよく、信頼性の高いコイル状ケーブルハンガー外挿工具を得る。【解決手段】電力又は通信ケーブル６およびメッセンジャワイヤ５のうち少なくともメッセンジャワイヤ５周囲に巻き付けてケーブルを支持するコイル状ケーブルハンガー２を、ストック状態から既設のメッセンジャワイヤ５の周囲に移し替えるためのコイル状ケーブルハンガー外挿工具１は、３個のギヤ付きローラと、ギヤを順次噛合させてローラを回転自在に収納するボックス形ケーシング１６と、このケーシングから突出するグリップと、電動工具１２に駆動連結するため底面側のギヤ付きローラのシャフトからケーシングの外部に突出する駆動連結部と、上側２つのギヤ付きローラの中間位置でローラのニップに対向する両側の側面中央部に設けた貫通長孔１０とを具える。これら両側の貫通長孔１０および上側ギヤ付きローラのニップ間にケーブルハンガー２を挿通する。【選択図】図３
2005253234.tif 000002
【特許請求の範囲】
【請求項１】
ケーブルおよびメッセンジャワイヤのうち少なくともメッセンジャワイヤ周囲に巻き付けてケーブルを支持するコイル状ケーブルハンガーを、ストック状態から既設のメッセンジャワイヤの周囲に移し替えるためのコイル状ケーブルハンガー外挿工具において、少なくとも２個のギヤ付きローラと、駆動ギヤと、ギヤを順次噛合させて前記ギヤ付きローラおよび駆動ギヤを回転自在に収納するボックス形のケーシングと、このケーシングから突出するグリップと、電動工具に駆動連結するため底面側の駆動ギヤのシャフトからケーシングの外部に突出する駆動連結部と、上側２つのギヤ付きローラの中間位置で２個のローラのニップに対向する両側の側面中央部に設けた貫通長孔とを具えたことを特徴とするコイル状ケーブルハンガー外挿工具。
【請求項２】
前記コイル状ケーブルハンガー外挿工具を作業員の首から吊り下げるためのストラップ手段を設けた請求項１記載のコイル状ケーブルハンガー外挿工具。
【請求項３】
請求項１のコイル状ケーブルハンガー外挿工具に使用するコイル状ケーブルハンガーをストックしておくストッカにおいて、少なくともメッセンジャワイヤに引っ掛ける懸垂ループ部と、この懸垂ループ部に対して回転自在に連結し、コイル状ケーブルハンガーの卷回部の内部に嵌挿するロッド部と、コイル状ケーブルハンガーが抜け出るのを阻止する抜け防止部とを具えたことを特徴とするコイル状ケーブルハンガー用ストッカ。
【発明の詳細な説明】
【技術分野】
【０００１】
本発明は、ケーブルおよびメッセンジャワイヤのうち少なくともメッセンジャワイヤ周囲に巻き付けてケーブルを支持するコイル状ケーブルハンガーを、ストック状態から既設のメッセンジャワイヤの周囲に移し替えるためのコイル状ケーブルハンガー外挿工具に関するものである。
【背景技術】
【０００２】
従来のこのようなコイル状ケーブルハンガーの架設用工具としては、メッセンジャワイヤに固定する頂部と、２個のローラを回転自在に挟持する１対の枠体と、この枠体に固定してコイル状ケーブルハンガーを嵌装する保持体とを有するものがある。（例えば、特許文献１参照。）
【特許文献１】特開平１１‐１５５２１０号公報
【発明の開示】
【発明が解決しようとする課題】
【０００３】
この従来の工具は、メッセンジャワイヤに固定する頂部を有している。しかし、メッセンジャワイヤとともにケーブルが既に架設されており、電柱近傍で黄色のカバーが被せてある場合には工具をメッセンジャワイヤに懸垂保持することができないという問題点がある。
【０００４】
また、コイル状ケーブルハンガーを嵌装する保持体が枠体に固定されているため、高所作業車の狭いゴンドラ内で作業する場合、この保持体が邪魔になり、作業性が悪いという問題点もあった。
【０００５】
更に、ローラの軸受側に対して９０゜の角度をなすローラニップ側はむき出しであるため、ローラニップには複数条のケーブル卷回部が同時に噛み込むことになり、この複数個の卷回部のうちの両側の卷回部がローラ面から外れるとローラシャフトに絡みつくことになり、作業を中断しなければならなくなる。
【０００６】
従って、本発明の目的は、工具をメッセンジャワイヤに固定する必要がなく、更に、コイル状ケーブルハンガーを嵌装する保持体もなく、作業性がよく、しかも信頼性の高いコイル状ケーブルハンガー外挿工具を得るにある。
【課題を解決するための手段】
【０００７】
この目的を達成するため、本発明コイル状ケーブルハンガー外挿工具は、少なくとも２個のギヤ付きローラと、駆動ギヤと、ギヤを順次噛合させて前記ギヤ付きローラおよび駆動ギヤを回転自在に収納するボックス形のケーシングと、このケーシングから突出するグリップと、電動工具に駆動連結するため底面側の駆動ギヤのシャフトからケーシングの外部に突出する駆動連結部と、上側２つのギヤ付きローラの中間位置でローラのニップに対向する両側の側面中央部に設けた貫通長孔とを具えたことを特徴とする。
【０００８】
更に、本発明はコイル状ケーブルハンガー外挿工具に使用するコイル状ケーブルハンガーをストックしておくストッカを得ることを目的とし、本発明コイル状ケーブルハンガー用ストッカは、少なくともメッセンジャワイヤに引っ掛ける懸垂ループ部と、この懸垂ループ部に対して回転自在に連結し、コイル状ケーブルハンガーの卷回部の内部に嵌挿するロッド部と、コイル状ケーブルハンガーが抜け出るのを阻止する抜け防止部とを具えたことを特徴とする。
【発明の効果】
【０００９】
本発明コイル状ケーブルハンガー外挿工具によれば、ローラはギヤ駆動であり、ローラ間で圧送されるコイル状ケーブルハンガーの移動は安定し、またローラはむき出しではなくケーシング内に収納されているため、他のものを巻き込む危険性がない。更に、工具自体にはコイル状ケーブルハンガーを嵌装する保持体は存在せず、また工具をメッセンジャワイヤに固定することはないため、従来の工具よりも作業性は向上する。
【００１０】
また、上側２つのギヤ付きローラの中間位置でケーシングの１対の側面中央部に設けた貫通長孔に単に一条のコイル状ケーブルハンガーが案内されるため、コイル状ケーブルハンガーがローラ面から外れて軸受に絡みつく恐れはなく、信頼性の高い作業を行うことができる。
【発明を実施するための最良の形態】
【００１１】
本発明の好適な実施例においては、コイル状ケーブルハンガー外挿工具を作業員の首から吊り下げるためのストラップ手段を設ける。このストラップ手段によれば、作業を一層安定した状態で行うことができる。
【００１２】
次に、図面につき本発明の好適な実施例を説明する。
【実施例１】
【００１３】
図１は、本発明コイル状ケーブルハンガー外挿工具１の第１の実施例を使用する前の準備段階を示す説明図である。作業を始める前に、先ず、コイル状ケーブルハンガー２をストックしておくストッカ３のループ付きヘッド部４を、既設のメッセンジャワイヤ５および既設ケーブル６の双方の周りに巻き掛けて固定する。このループ付きヘッド部４のループは、図１に示すように、端部に小さいカラビナを有するワイヤとすることもできるが、図２に示すように、大きなカラビナ自体とすることもできる。
【００１４】
ストッカ３には、更に、図２に示すように、コイル状ケーブルハンガー２の卷回部の内部に嵌挿するロッド部７と、コイル状ケーブルハンガー２が抜け出るのを阻止する抜け防止部８とを設ける。ロッド部７はヘッド部４に対して回転自在に連結する。図示の実施例では、抜け防止部８をコイル状ケーブルハンガーの内径よりも大きい直径を有する円形トレイによって構成したが、ロッド部７から角度をなして一体に曲げ出した単なるロッド湾曲部とすることもできる。
【００１５】
図１では、ストッカ３のヘッド部４におけるループを、既設のメッセンジャワイヤ５および既設ケーブル６の双方の周りに巻き掛けて懸垂させた実施例を示したが、ケーブル６が架設されていない場合には、メッセンジャ５の周囲のみにヘッド部４のループを巻き掛けてコイル状ケーブルハンガー２とともにストッカ３を支持する。この状態で、コイル状ケーブルハンガー２の先端部９を、工具ケーシングの互いに対向する１対の側面にそれぞれ設けた１対の貫通長孔１０に貫通させてセットする。
【００１６】
図３には、本発明コイル状ケーブルハンガー外挿工具１のケーシングの側面から突出する駆動連結部１１を、電動工具（例えば、電動ドリル）１２の駆動アダプタに連結して動作させ、コイル状ケーブルハンガー２の若干部分を、ストッカ３から既設のメッセンジャワイヤ５および既設ケーブル６の双方の周りに転移させた状態を示す。
【００１７】
図４に示す第１の実施例では、本発明コイル状ケーブルハンガー外挿工具１は、３個のギヤ付きローラ１３，１４，１５を回転自在に収納するボックス形のケーシング１６を有する。また、ギヤ付きローラのギヤおよび駆動ギヤはそれぞれ平歯車とする。ケーシング１６の底面側のギヤ付きローラ１５は、ローラ部分のないギヤホイールとすることもできる。ケーシング１６の底面から下方に突出するグリップ１７と、電動工具に駆動連結するため底面側のギヤ付きローラまたはギヤホイール１５のシャフト１８から一体にケーシングの両側の側面を貫通して外方に突出する１対の駆動連結部１１と、上側２つのギヤ付きローラ１３，１４の中間位置で駆動連結部１１が突出するケーシングの側面とは９０゜の角度をなす他の両側の側面中央部に設けた上述の貫通長孔１０とを有する。
【００１８】
グリップ１７にはつば１９を設け、更に、図４には図示しないが、ケーシング１６、又はケーシング１６とつば１９との間に、工具を作業者の首からぶら下げるためのストラップ手段を設けると好適である。図１には、ケーシング１６とつば１９との間にストラップ手段の一つの実施例であるひも２０を部分的に示す。ストラップ手段は、別の箇所に設けてもよい。
【００１９】
ケーシング１６における一方の側面の貫通長孔１０に挿入したコイル状ケーブルハンガー２の先端部９を、上側の２個のギヤ付きローラ１３，１４間の隙間を経て他方の側面の貫通長孔１０に貫通させ、既設のメッセンジャワイヤ５および既設ケーブル６の双方の周りに絡ませた状態にする。このとき電動工具１２を動作させると、回転の向きによって、コイル状ケーブルハンガー２は既設のメッセンジャワイヤ５および既設ケーブル６の双方の周囲に沿って絡みつきつつ前進し、ストッカ３から移り変わる。一方、電動工具１２の回転を逆転すると、ストッカ３に逆戻りすることができる。移し替え作業が終わった後、コイル状ケーブルハンガー２の各端部を両側の対応する電柱に固定する。
【００２０】
図１〜図４に示す第１実施例の本発明コイル状ケーブルハンガー外挿工具１によれば、ケーシングの両側側面から駆動連結部１１を突出させたため、電動工具１２はいずれの側の駆動連結部１１にも連結することができる。従って、右利き、又は左利きの作業員の都合のよい方向から駆動することができるようになる。
【実施例２】
【００２１】
図５に本発明の第２の実施例を線図的に示す。この実施例の場合、ケーシング２６の側面からグリップ２７を突出させ、ギヤ付きローラ２３，２４のギヤ２３ａ，２４ｂはベベルギヤとし、ケーシングの底面側の駆動ギヤ２５もベベルギヤとし、この駆動ギヤのシャフトはケーシングの底面から突出させ、駆動連結部２１として終端させる。この駆動連結部２１に対してアダプタ２２を介して電動工具１２により駆動する。このような機構上の違いはあるが、その他の作用は第１の実施例と同様である。
【実施例３】
【００２２】
図６に本発明の第３の実施例を線図的に示す。この実施例の場合、ケーシング３６の側面からグリップ３７を突出させ、ギヤ付きローラ３３，３４のギヤ３３ａ，３４ｂは平歯車とし、ケーシングの底面側の駆動ギヤ３５も平歯車とする。駆動ギヤ３５のシャフトはケーシングのグリップ３７が突出する側面に対向する反対側の側面から突出させ、駆動連結部３１として終端させる。この駆動連結部３１に対してアダプタ３２を介して電動工具１２（図示せず）により駆動する。このような機構上の違いはあるが、その他の作用は第１の実施例と同様である。
【産業上の利用可能性】
【００２３】
本発明コイル状ケーブルハンガー外挿工具は、電力又は通信業界に利用でき、電力又は通信ケーブルを電柱間に架設する際に、メッセンジャワイヤにケーブルを簡便に保持するコイル状ケーブルハンガーを外挿させる作業を効率よく行い、また従来の工具よりも作業性を向上させることができる。
【図面の簡単な説明】
【００２４】
【図１】本発明の第１の実施例であるコイル状ケーブルハンガー外挿工具を使用する前の準備段階を示す説明図である。
【図２】コイル状ケーブルハンガーをストックしておく本発明ストッカの説明図であり、（ａ）は側面図、（ｂ）はＢ‐Ｂ線上から見た平面図である。
【図３】本発明コイル状ケーブルハンガー外挿工具による作業の初期段階を示す説明図である。
【図４】本発明コイル状ケーブルハンガー外挿工具の外観を示す説明図であり、（ａ）は側面図、（ｂ）は（ａ）の側面に対して９０゜の角度をなす側面から見た側面図、（ｃ）は頂部から見た平面図である。
【図５】本発明の第２の実施例であるコイル状ケーブルハンガー外挿工具の一部断面とする側面図である。
【図６】本発明の第３の実施例であるコイル状ケーブルハンガー外挿工具の一部断面とする側面図である。
【符号の説明】
【００２５】
１  コイル状ケーブルハンガー外挿工具
２  コイル状ケーブルハンガー
３  コイル状ケーブルハンガー用のストッカ
４  ループ付きヘッド部
５  既設メッセンジャワイヤ
６  既設ケーブル
７  ロッド部
８  抜け防止部
９  先端部
１０  貫通長孔
１１  駆動連結部
１２  電動工具
１３  ギヤ付きローラ
１４  ギヤ付きローラ
１５  ギヤ付きローラ
１６  ケーシング
１７  グリップ
１８  シャフト
１９  つば
２０  ストラップ手段
21,31 駆動連結部
22,32 アダプタ
23,33 ギヤ付きローラ
24,34 ギヤ付きローラ
25,35 駆動ギヤ
【図１】
2005253234.tif 000003
【図２】
2005253234.tif 000004
【図３】
2005253234.tif 000005
【図４】
2005253234.tif 000006
【図５】
2005253234.tif 000007
【図６】
2005253234.tif 000008